(57)【要約】【課題】  屋外等の夏季の暑さ対策として、ハイキング等の屋外活動時および建設現場等の屋外作業場の熱中症による健康障害、死亡災害を減少する。【解決手段】  身体冷却装置の構成は、冷却外皮に対し、保冷剤を封入した保冷剤袋を、保冷剤ポケットに挿入し、保冷剤の冷却効果を十分に活用し、加えてガスまたは液体の冷却効果を併用することを特徴とする身体冷却装置を提供する。【選択図】図１５
2018126481.tif 000002
【特許請求の範囲】
【請求項１】
身体冷却装置１００の構成は、冷却外皮２に対し、保冷剤１０１を封入した保冷剤袋１０２を、保冷剤ポケット１０３に挿入し、保冷剤１０１の冷却効果を十分に活用し、加えて身体冷却装置１のガスまたは液体の冷却効果を併用することを特徴とする身体冷却装置。
【請求項２】
請求項１の構成に対し、身体冷却装置１のガス又は液体の冷却効果を与える手段として、冷媒貯蔵手段１ａ、冷媒制御手段１ｂと、冷却外皮手段１ｃと、冷気放出手段１ｄと、により構成されていることを特徴とする身体冷却装置。
【請求項３】
冷媒貯蔵手段１ａは、冷媒の入った冷却ボンベ２０であり、
冷媒制御手段１ｂは、冷却ユニット３内の制御部本体２１及び制御調節弁２７等であり、
冷却外皮手段１ｃは、布地体９、及び表皮材１０であり、
冷気放出手段１ｄは、冷媒供給管以後の部材である冷媒供給管４、及び解放袋部５、及びノズル８、及び冷却管６、及び放出管１２で構成されており、前記冷気放出手段１ｄにより、断熱膨張を行うことにより身体を冷却するように構成されていることを特徴とする請求項１、又は請求項２記載の身体冷却装置。
【請求項４】
制御部本体２１の一部には、排気口２３が設けてあり、冷却ボンベ２０が、安全圧以上になると安全弁２４が開き、爆発を防止すると共に、更に冷媒が排出され、冷却ボンベ２０を冷却できるよう構成されていることを特徴とする請求項１、又は請求項２、又は請求項３記載の身体冷却装置。
【請求項５】
冷媒供給管４、または解放袋部５、または冷却管６に対し、２重管とし、２重の間により構成される空間部分に、保冷剤５５、または冷却液剤を充填し、加えて冷却能力の残存時間を高め、冷媒制御手段である電動式冷却ユニット４０には、加減速手段４０ａが設けられており、
冷媒効果を増減出来ることを特徴とする請求項１、又は請求項２、又は請求項３、又は請求項４記載の身体冷却装置。
【発明の詳細な説明】
【技術分野】
【０００１】  本発明は、屋外等の夏季の暑さ対策として、ハイキング等のスポーツ、屋外業務および屋内外作業場等の屋内外活動時の熱中症による健康障害、死亡災害を絶滅するための身体冷却装置に関する。
【背景技術】
【０００２】  熱中症の予防は、地球温暖化による、人類全体にかかわる問題であり、いまだ解決策の見えない国家的課題となっている。本発明は、夏期災害の長年の課題であった熱中症を大幅に減少し、絶滅をも可能とする効果を発揮することが出来る。
毎年の災害統計では熱中症による健康障害、死亡災害が多発しており、労働省としてはこれらの熱中症による災害を減少させるため、全国安全週間に重点施策として、毎年強調しているが、ほとんど減少していないのが現状である。【０００３】  熱中症はどのようにして起こるのか熱中症とは何か。
体表に分布した熱い血液をうまく冷やせないため、熱いままの血液が体内へ戻っていき、体がうまく冷えない状態となる。体から水分が減少すると、筋肉や脳、肝臓、腎臓などに十分血液がいきわたらないため、筋肉がこむら返りを起こしたり、意識がボーっとして意識を失ったり、肝臓や腎臓の機能が障害されたりする。
また、熱（高温）そのものも各臓器の働きを悪化させる。
熱中症の発症には、身体（体調、性別、年齢、暑熱順化の程度など）と環境（気温、湿度、輻射熱、気流など）、及び行動（活動強度、持続時間、休憩など）の条件が複雑に関係する。環境（高温）、行動、体温上昇、脱水、熱失神、熱けいれん、熱疲労、熱射病、過度の体温（脳温上昇）、発汗、熱放散、皮膚血管拡張、皮膚血流増加、体温調節反応不全等が、発症に大きく関るのである。
下肢に血液貯留、立位に体表に血液貯留、循環血液量減少、循環不全、塩分濃度低下、脳機能不全、脳血流減少等が増強すると、運動時は条件により短時間で発症の可能性あり、立ったままの姿勢を持続していると血液が下肢に貯まり、脳への血流が減少するため、一過性の意識消失（失神発作）いわゆる熱失神［ｈｅａｔ  ｓｙｎｃｏｐｅ］を起し、死亡に至る可能性が高い。【０００４】  夏季の熱負荷は強烈なもので、従来の方法等では、気休め程度で、抜本的対策は未だ見つからず、特にハイキングや登山等の野外活動において長距離の移動時の屋外スポーツや、建設業等では、屋外での作業がほとんどで、活動時使用できる夏季対策が渇仰されていた。屋外等の夏季の暑さ対策は、従来、水を浸した布等のカバーで気化熱を利用したものや、屋内外の作業場、工事現場等においては、ヘルメットに小さな通気孔を空けたり、ヘルメットの内側に、インナーキャップを着用して、汗を吸収させ不快感を緩和したり、水で濡らしたインナーキャップを着用する等の方法が取られて来たが、夏季の暑さに対しほとんど効果を発揮しないため、単に気分的な効果でしかなく、熱中症の予防対策としてほとんど機能していなかった。【０００５】  又、［特許文献１］は、発明者本人の発明であるがあるが、この発明も相応の効果はあるが、空冷、及びミスト冷却であるため、冷却効果は、限界があった。
又、［特許文献２］に示されるように、ヘルメット内のみを冷却しても、前述のごとく、もっと広範囲での冷却を行わねば、熱中症の予防には十分でないことがはっきりしている。
また、透湿シート製の袋では、冷気はすぐに放出されてしまい、実用されてもその効果はほとんど発揮されず、気休めの域を出る対策ではないところに大きな欠点を有していた。
したがって、望ましい構成は、上半身を広く冷却するベスト状の冷却外皮のごとく構成し、また解放袋部５が、首部に配置されることである。これは、人間の体感上、首部を冷却することにより、最も熱中症予防に効果があることが、分かったためである。また、左右の耳の後方を冷やすともっとも涼しさを感じる部位があり、「クールスポット」と名付ける位置があることを発見した。【０００６】  そのため、襟部に、解放袋部５を配置したのである。また、人間の耳と後頭部、および首の後ろ側のはさまれた部位である「クールスポット」が、冷やされると、耳がついたての役を果たし、又放熱板となり、最も冷却効果を感じるためである。
【先行技術文献】
【特許文献】
【０００７】
【特許文献１】［特開２００３−４９３１７号］
【特許文献２】［特開２００５−４２２６１号］
【発明の概要】
【発明が解決しようとする課題】
【０００８】本発明は、これらの必要性に対し、抜本的にその解決策を提供するものである。
【課題を解決するための手段】
【０００９】  身体冷却装置１００の構成は、冷却外皮２に対し、保冷剤１０１を封入した保冷剤袋１０２を、保冷剤ポケット１０３に挿入し、保冷剤１０１の冷却効果を十分に活用し、加えて身体冷却装置１のガスまたは液体の冷却効果を併用することを特徴とする身体冷却装置を提供する。【００１０】  請求項１の構成に対し、身体冷却装置１のガス又は液体の冷却効果を与える手段として、冷媒貯蔵手段１ａ、冷媒制御手段１ｂと、冷却外皮手段１ｃと、冷気放出手段１ｄと、により構成されていることを特徴とする身体冷却装置を提供する。【００１１】  冷媒貯蔵手段１ａは、冷媒の入った冷却ボンベ２０であり、
冷媒制御手段１ｂは、冷却ユニット３内の制御部本体２１及び制御調節弁２７等であり、
冷却外皮手段１ｃは、布地体９、及び表皮材１０であり、
冷気放出手段１ｄは、冷媒供給管以後の部材である冷媒供給管４、及び解放袋部５、及びノズル８、及び冷却管６、及び放出管１２で構成されており、前記冷気放出手段１ｄにより、断熱膨張を行うことにより身体を冷却するように構成されていることを特徴とする請求項１、又は請求項２記載の身体冷却装置を提供する。【００１２】  制御部本体２１の一部には、排気口２３が設けてあり、冷却ボンベ２０が、安全圧以上になると安全弁２４が開き、爆発を防止すると共に、更に冷媒が排出され、冷却ボンベ２０を冷却できるよう構成されていることを特徴とする請求項１、又は請求項２、又は請求項３記載の身体冷却装置を提供する。【００１３】  冷媒供給管４、または解放袋部５、または冷却管６に対し、２重管とし、２重の間により構成される空間部分に、保冷剤５５、または冷却液剤を充填し、加えて冷却能力の残存時間を高め、冷媒制御手段である電動式冷却ユニット４０には、加減速手段４０ａが設けられており、
冷媒効果を増減出来ることを特徴とする請求項１、又は請求項２、又は請求項３、又は請求項４記載の身体冷却装置を提供する。
【発明の効果】
【００１４】  １）熱中症の予防は、地球温暖化による、人類全体にかかわる問題であり、いまだ解決      策の見えない国家的課題となっている。本発明は、夏期災害の長年の課題であった      熱中症を大幅に減少し、絶滅をも可能とする効果を発揮することが出来る。
２）熱中症を予防するために最も効果のある後頭部の首部の中央、及び／またはクール      スポットと言える左右の耳の後部の場所に、解放袋部５を配置することにより人体      に最も適した冷却効果を与えることにより、大幅な予防対策となるのである。
３）ノズル８は、末広部８ｂで断熱膨張され、ノズル入口圧力と、ノズル放出圧力の圧      力差ができ、瞬時に発生するため、断熱膨張し例えば、−４０℃前後の冷気が、放      袋部５に、放出され、極めて大きな冷却効果を発揮するよう構成されている。
３）布地体９は、着用時に通気性が悪くならないように、材質は、麻、不織布、合成繊      維材、その他通気性の良い生地で構成され、又はメッシュ状に構成されている。
また冷却外皮は、冷媒供給管４、及び解放袋部５及び冷却管６を避けて、縫い目３      ３により縫製されている。
４）図４に示すように冷却管６の適切な個所に、放出管１２が設けられ、その端部には      、放出管制御ボタン１３が設けられ、放出量を着用者が部分的に適切に制御するこ      とが出来るようになっている。
この冷却管６は、図２に示すように、前述の「クールスポット」にも配置するのが      効果的である。また、加えて、帽子や、ヘルメット等の頭部保護体の内部まで延長      し、帽子や、ヘルメット等の内部まで冷却することもさらに望まれる。
同様に前記解放袋部５は、クールスポットや頭部保護体に設けても良い。
５）特にＮ２又は、ＣＯ２は、不燃性であるため安全であり、加えて自転車のタイヤ充      填用、実験用等に、数多く市販されているため、安価で入手することが可能である      。
６）マニュアル操作のものは、電気システムがいらず、極めて安価に製作できるため、    多くの前述した屋外、屋内者の熱中症対策として利用することが出来る極めて現実的    利点を有するものである。
７）図８に示す、電動式とすると、更に細かいコントロールをすることができる。
８）保冷剤や、水等の液体を併用したり、更に電動ポンプ５９や、熱交換器６０を併用    すると、保冷効果を持続することが可能となる。
９）電気によるマイナスイオン発生機６１が、設けられると、冷却媒体にマイナスイオ    ンを付加することにより爽快感と、殺菌効果、健康効果を与えることが出来る。
【図面の簡単な説明】
【００１５】
【図１】前面概略全体図である。
【図２】背面概略全体図である。
【図３】ノズル８の詳細断面図である。
【図４】冷却管６の適切な個所に、放出管１２が設けられた概略断面図である。
【図５】冷却ユニットの垂直断面図である。
【図６】冷却ユニットの水平断面図である。
【図７】実施例１の身体冷却装置１の操作手順を示すブロック図である。
【図８】実施例２の電動式冷却ユニット４０の垂直断面図である。
【図９】実施例２の電動式冷却ユニット４０のコントローラ５０の正面図である。
【図１０】実施例２の身体冷却装置１の操作手順を示すブロック図である。
【図１１】実施例３の前面概略全体図である。
【図１２】実施例３の背面概略全体図である。
【図１３】実施例３の冷却ユニット５７の垂直断面図である。
【図１４】実施例３の布地部及び放出管の部分断面図である。
【図１５】実施例５の前面概略全体図である。
【図１６】実施例５の背面概略全体図である。
【発明を実施するための形態】
【００１６】  以下、本発明の実施例について、図面を参照しながら説明する。
【実施例１】
【００１７】  実施例１の身体冷却装置１は、図１に、前面概略全体図を示し、図２に背面概略全体図を示す。【００１８】  身体冷却装置１の構成は、冷媒貯蔵手段１ａと、冷媒制御手段１ｂと、冷却外皮手段１ｃと、冷気放出手段１ｄとにより構成されている。
冷媒貯蔵手段１ａは、冷媒の入った冷却ボンベ２０である。
冷媒制御手段１ｂは、冷却ユニット３内の冷媒制御手段１ｂである制御部本体２１及び制御調節弁２７等により構成され、冷却外皮手段１ｃは、冷却外皮２が衣服状に構成されている。
冷気放出手段１ｄは、冷媒供給管４以後の部材で構成されている。
冷却ユニット３内の制御部本体２１及び制御調節弁２７等により冷却媒体は、冷媒供給管４を介して解放袋部５に供給される。
解放袋部５には、冷却管６が連結されており、身体の各部を冷却するように構成されている。
解放袋部５は、１体で示されているが、２体以上に分割して設けても良い。
冷却外皮２が衣服状に構成されているが、前面に着脱可能なファスナー、またはボタン結合等の結合手段７が設けられている。【００１９】  冷却外皮２は、ベスト状の例が示されているが、襟部及び／または、肩パッド状に構成しても良い。
冷媒供給管４は、ノズル８を介して解放袋部５に、結合され、ここで断熱膨張されるように構成されている。
図３は、ノズル８の詳細断面図を示す。もちろんノズル８が無くとも断熱膨張は、為されるので、ノズル８は、なくても良い。
ノズル８は、絞部８ａと、末広部８ｂとで構成され、末広部８ｂで断熱膨張される。
ノズル入口圧力と、ノズル放出圧力の圧力差がで、瞬時に発生するため、断熱膨張し例えば、−４０℃前後の冷気が、放袋部５に、放出され、極めて大きな冷却効果を発揮するよう構成されている。【００２０】  次に、冷却外皮２について説明すると、図４は、冷却外皮２の垂直断面図である。
冷却外皮２は、中央部に冷却管６が配置され、その外側に、布地体９があり、その外側に表皮材１０が設けられている。
布地体９は、着用時に通気性が悪くならないように、材質は、麻、不織布その他通気性の良い生地で構成され、又はメッシュ状に構成されている。
また冷却外皮は、冷媒供給管４、及び解放袋部５及び冷却管６を避けて、縫い目３３により縫製されている。また冷却外皮２は、布地体９を省略したり、別個の布地を自由に追加することが出来る。【００２１】  また、図４に示すように冷却管６の適切な個所に、放出管１２が設けられ、その端部には、放出管制御ボタン１３が設けられ、末端放出口１４に対し、ねじ等で結合され、放出量を適切に制御することが出来るようになっている。
この冷却管６は、図２に示すように、前述の「クールスポット」にも配置するのが効果的である。
また、加えて、帽子や、ヘルメット等の頭部保護体の内部まで延長し、帽子や、ヘルメット等の内部まで冷却することもさらに望まれる。
同様に前記解放袋部５は、クールスポットや頭部保護体に設けても良い。
もちろんこの放出管１２や解放袋部５は、本発明に必須の物ではなく、設けなくても良い。【００２２】  次に、冷却ユニット３について説明すると、図５は、冷却ユニットの垂直断面図であり、図６は水平断面図である。
冷媒の入った冷却ボンベ２０には、制御部本体２１が、ねじ等の結合手段２２を介して気密に結合されている。
制御部本体２１の一部には、排気口２３が設けてあり、冷却ボンベ２０が、外熱等により、安全圧、例えば４０ｋｇ／ｃｍ２以上になると安全弁２４が、開き、排気管２５を介して、圧力上昇による爆発を防止し、更に冷媒の排気により、冷却ノズル２６より冷媒が、排出され、冷却ボンベ２０を冷却できるよう構成されている。
また、制御部本体２１の中央部には、制御調節弁２７が設けてある。該制御調節弁２７は、制御部本体２１に対し、ネジ等の調節手段２８が設けられており、制御調節弁２７を、回転することにより、制御部本体２１の一部に設けられた冷媒供給口２９の開口面積を調節し、冷媒供給量を増減することが出来る。
冷媒供給口２９には冷媒供給管４が気密に結合されており、締付手段３０により抜けないように構成されている。また、冷媒供給管４の結合は、いわゆるワンタッチジョイントで結合することもできる。
これらの冷却ボンベ２０及び制御部本体２１、制御調節弁２７等の外側には、保冷層３１が、保護ケース３２の内側に設けられている。保冷層３１は、外熱によりボンベや制御部本体２１、制御調節弁２７が、過熱されないように設けられているが、必須のものではない。
これらは、冷却外皮２に縫合手段３３により、ユニットポケット３４が取付けられている。冷却外皮２には、ユニットポケット３４の外面には、蓋３４ａがもうけられている。身体の反対側には、冷却ユニットを入れられる予備ポケット３４ｂが設けられている。
冷却ユニットは、実施例では、前方腰部に設けられているが、それ以外の部分、例えばペンダント状または、腰ベルト取付状に設けても良い。【００２３】  次に、冷媒供給管４は、冷却外皮２の中を通って、ノズル８を介して解放袋部５に、結合され、ここで断熱膨張されるように構成されている。
放出前は、２点鎖線で示すようにしぼんだ状態にあるが、冷媒供給により、風船のように膨らみ、しぼむことによる放出力を発生し、冷媒の放出力を高めるように構成されている。
用いる冷媒は、Ｎ２又は、ＣＯ２、無水空気、アルゴン、ヘリウム、水素、またはプロパン、ブタン等の炭化水素、ＬＰＧ等冷却能力のあるものであれば、何れでもよいが、可燃性、助燃性のない媒体を用いるのが安全上好ましい。
それらを加圧し、液体上、または気体状のものであれば、放出時断熱膨張し、強力な冷気が、得られるのである。
特にＮ２又は、ＣＯ２は、不燃性であるため安全である。加えて自転車のタイヤ充填用、実験用等に、数多く市販されているため、安価で入手することが可能であり、極めて望ましい。【００２４】  図７は、実施例１の身体冷却装置１の操作手順を示すブロック図である。
冷却外皮２を準備し、手順に従って使用状態とする。
１）冷却ボンベに制御部本体をねじ込んで取付ける。
２）制御調節弁が閉であることを確認し、保護ケースに取付ける。
３）冷媒供給口に冷媒供給管を接続し、締付ける、またはワンタッチ結合する。
４）身体冷却装置を着用し、制御調節弁を適度に開く。
５）解放袋部に冷媒が放出され冷気が充填される
６）冷却管を通して冷気が流れ放出管よりも放出される
７）制御調節弁を調節し強・弱を調節する。
８）放出管の放出制御ボタンを調節し部分の強・弱を調節する
マニュアル操作なので電気システムがいらず、極めて安価に製作できるため、多くの前述した屋外、屋内者の熱中症対策として利用することが出来る極めて現実的利点を有するものである。
【実施例２】
【００２５】  図８は、実施例２の身体冷却装置１の電動式冷却ユニット４０の垂直断面図を示すものである。
電動式冷却ユニット４０には、加減速手段４０ａが設けてあり、該加減速手段４０ａの構成の１例は、制御部本体２１の外部に設けられたモータ４１の軸端には、ピニオン４２が取付けられている。
また、制御調節弁４３の一部には、ギア部４４が設けてあり、ピニオン４２と噛み合っており、電源４５より供給される電力により、制御調節弁４３は、正逆転され、
前記制御部本体２１の一部に設けられた冷媒供給口２９の開口面積を調節し、冷媒供給量を増減することが出来る。
電源には、乾電池、蓄電池、太陽光発電パネル等の携帯可能なものであれば何れでもよい。
更に、図８に例示するように、電動式冷却ユニット４０、又は冷却外皮手段１ｃ、又は冷気放出手段１ｄの一部には、電気によるマイナスイオン発生機６１が、設けられており、冷却媒体にマイナスイオンを付加することにより爽快感と、殺菌効果、健康効果を与えることが出来るよう構成することが望ましい。もちろん、マイナスイオン発生機６１は、必須のものではない。
図８は、実施例２の身体冷却装置１の電動式冷却ユニット４０のコントローラ５０の正面図を示すものである。
コントローラ５０には、電源ボタン５１と、モード選択ボタン５２と大小ボタン５３が設けられており、また、液晶表示等の表示画面５４が設けられている。
また、
１）電源ボタン５１を１回押しすると、モータ起動となり、表示画面に状態が表示され      る。
２）電源ボタン５１を２回押しすると、モータ停止となり、表示画面に状態が表示され      る。
３）モータ起動状態で、モード選択ボタン５２を押すと、モード選択状態となるが、モ      ード選択ボタン５２を１回押しすると、流量調節モードとなり、大小ボタンをＵＰ      方向に押すと、両量が増加し、ＤＯＷＮ方向に押すと、両量が減少し、流量状態が      、表示画面に表示される。
４）モード選択ボタン５２を２回押しすると、放出タイマーモードとなり、大小ボタン      をＵＰ方向に押すと、放出時間が増加し、ＤＯＷＮ方向に押すと、放出時間が短く      なる。そして放出時間が、表示画面に表示される。
５）モード選択ボタン５２を３回押しすると、放出休止タイマーモードとなり、大小ボ      タンをＵＰ方向に押すと、放出休止時間が増加し、ＤＯＷＮ方向に押すと、放出休      止時間が短くなる。そして、放出休止時間状態が、表示画面に表示される。
６）モード選択ボタン５２を４回押しすると、マイナスイオン発生モードとなり、大小      ボタンをＵＰ方向に押すと、強となり、ＤＯＷＮ方向に押すと、弱となり、そして      状態が、表示画面に表示される。
７）モード選択ボタン５２を５回押しすると、モード選択状態に戻り、そして状態が、      表示画面に表示される。
ただし、モード選択状態の種類は、１回押し以上であれば何回でもよく、又簡便さの      ためにモード選択ボタン５２を設けないように構成しても良い。
【実施例３】
【００２６】  図１１〜図１４は、実施例３を示すもので、冷媒供給管４及び／または解放袋部５及び／または、冷却管６に対し、２重とし、それにより構成される部分に、保冷剤５５を充填した実施例を示す。
実施例３の身体冷却装置５６は、図１１に、前面概略全体図を示し、図１２に背面概略全体図を示す。【００２７】  図１３は、実施例３冷却ユニット５７の垂直断面図を示す。
図１３に示すように冷媒供給管４の外面には、２重管に構成され、保冷管５８が設けられ、それにより構成される部分に、保冷剤５５が充填されている。
また、図１４に示すように冷却管６の適切な個所に、放出管１２が設けられ、その端部には、放出管制御ボタン１３が設けられ、末端放出口１４に対し、ねじ等で結合され、放出量を適切に制御することが出来るようになっている。
この冷却管６は、図１２に示すように、前述の「クールスポット」にも配置するのが効果的である。
また、加えて、帽子や、ヘルメット等の頭部保護体の内部まで延長し、帽子や、ヘルメット等の内部まで冷却することもさらに望まれる。
また、放出管１２の先端部に、冷却ファン（図示せず）を配置しても良い。
同様に前記解放袋部５は、クールスポットや頭部保護体に設けても良い。
もちろんこの放出管１２や解放袋部５は、本発明に必須の物ではなく、設けなくても良い。
保冷剤５５は一般的に約９９％の水と高吸水性樹脂（ポリアクリル酸ナトリウム等）、防腐剤、形状安定剤が含まれているものが、その一例である。
そして一般にソフトタイプと呼ばれる−２０℃〜−４０℃以上でカチカチに固化しないものが、望ましい。
【実施例４】
【００２８】  実施例４は、保冷材の代わりに水等の液体冷媒を充填するもので、図１２に示すように、巡回回路を構成して、電動ポンプ５９で循環し、及び／又は熱交換器６０を併用することにより冷却効果を持たせることもできる。
【実施例５】
【００２９】実施例５は、本発明の目的と効果を最も簡略な構成で達成できる望ましい構成を示すものである。そのため、製作が容易で、製作コストも少なく経済的にも最も好ましい。
実施例５の身体冷却装置１００は、図１５に、前面概略全体図を示し、図１６に背面概略全体図を示す。
実施例５の身体冷却装置１００の構成は、冷却外皮２に対し、保冷剤１０１を封入した保冷剤袋１０２を、保冷剤ポケット１０３に挿入し、保冷材の冷却効果を十分に活用し、加えて前記の実施例１から実施例４の身体冷却装置１のガスまたは液体の冷却効果を併用するものである。【００３０】  又、前記の図１〜図１４に示す２重管構造は、用いなくてもよい。
そのため簡略化、製作コスト削減となるのである。
保冷剤ポケット１０３は、図示の如く襟部や、肩部、脇の下部、その他の冷却効果を期待できる冷却外皮手段２のいずれの部位に設けてよい。
保冷剤１０１は一般的に約９９％の水と高吸水性樹脂（ポリアクリル酸ナトリウム等）、防腐剤、形状安定剤が含まれているものが、その一例である。
そして一般にソフトタイプと呼ばれる−２０℃〜−４０℃以上でカチカチに固化しないものが、望ましい。
【産業上の利用可能性】
【００３１】  熱中症を予防し、死者、病者を発生させないことによる、最近の課題である国民の健康に極めて貢献するとともに、医療費の削減効果、及び新規商品による産業の活性化に大幅に寄与することが出来る。
【符号の説明】
【００３２】  １  身体冷却装置
１ａ  冷媒貯蔵手段
１ｂ  冷媒制御手段
１ｃ  冷却外皮手段
１ｄ  冷気放出手段
２  冷却外皮
３  冷却ユニット
４  冷媒供給管
５  解放袋部
６  冷却管
７  結合手段
８  ノズル
８ａ  絞部
８ｂ  末広部
９  布地体
１０  表皮材
１１  外皮部
１２  放出管
１３  放出管制御ボタン
１４  末端放出口
２０  冷却ボンベ
２１  制御部本体
２２  結合手段
２３  排気口
２４  安全弁
２５  排気管
２６  冷却ノズル
２７  制御調節弁
２８  調節手段
２９  冷媒供給口
３０  締付手段
３１  保冷層
３２  保護ケース
３３  縫合手段
３４  ユニットポケット
３４ａ  蓋
３４ｂ  予備ポケット
４０  電動式冷却ユニット
４０ａ  加減速手段
４１  モータ
４２  ピ二オン
４３  制御調節弁
４４  ギア部
４５  電源
５０  コントローラ
５１  電源ボタン
５２  モードボタン
５３  大小ボタン
５４  表示画面
５５  保冷剤
５６  身体冷却装置
５７  冷却ユニット
５８  保冷管
５９  電動ポンプ
６０  熱交換器
６１  マイナスイオン発生機
１００  身体冷却装置
１０１  保冷剤
１０２  保冷剤袋
１０３  保冷剤ポケット
【図１】
2018126481.tif 000003
【図２】
2018126481.tif 000004
【図３】
2018126481.tif 000005
【図４】
2018126481.tif 000006
【図５】
2018126481.tif 000007
【図６】
2018126481.tif 000008
【図７】
2018126481.tif 000009
【図８】
2018126481.tif 000010
【図９】
2018126481.tif 000011
【図１０】
2018126481.tif 000012
【図１１】
2018126481.tif 000013
【図１２】
2018126481.tif 000014
【図１３】
2018126481.tif 000015
【図１４】
2018126481.tif 000016
【図１５】
2018126481.tif 000017
【図１６】
2018126481.tif 000018